(57)【要約】【課題】袋の形態に対応し易く、作業中に袋を破損せず、手を汚すことなく、残っている中身を良く絞り出すことができ、構造を簡単にして取り扱い易くする。【解決手段】２本並べて備えた本体丸棒２の相対する一端部３に、その両端部３を接近・離隔自在に結合する結合部材６を備え、その両結合端部３を接近状態に支持して、離隔時に接近方向に付勢力を与える弾性部材７を備えて、その両本体丸棒２の各結合端部３寄り中央部に袋挟持用長外管１０を回動自在に夫々嵌め、更に両本体丸棒３の相対する他端部を夫々自由端部１３にし、その各自由端部１３付近を夫々把持部１４にする。【選択図】        図１
2004168326.tif 000002
【特許請求の範囲】
【請求項１】
細長い丸棒を本体として２本並べて備えた袋中身絞り出し器であって、上記両本体丸棒の相対する一端部に、その両端部を接近・離隔自在に結合する結合部材を備え、更にその両結合端部を接近状態に支持して、離隔時に接近方向に付勢力を与える弾性部材を備えて、その両本体丸棒の各結合端部寄り中央部に袋挟持用長外管を回動自在に夫々嵌め、更にその両本体丸棒の相対する他端部を夫々自由端部にし、その各自由端部付近を夫々把持部にすることを特徴とする袋中身絞り出し器。
【請求項２】
両本体丸棒の各袋挟持用長外管嵌め箇所の少なくとも片側に隣接させて、その各袋挟持用長外管を回動し易くする遊び用短外管を回動自在に夫々嵌めることを特徴とする請求項１記載の袋中身絞り出し器。
【請求項３】
両本体丸棒の各結合端部に挿通用の穴を夫々設け、圧縮コイルばねを一端部付近に巻き付けたピンを用い、その両結合端部の挿通穴にピンの他端側部を遊嵌して結合することを特徴とする請求項１、又は２記載の袋中身絞り出し器。
【発明の詳細な説明】
【０００１】
【発明の属する技術分野】
本発明は袋詰めされた食品、化粧品、薬品等の液状、練り状流動物を袋から取り出すのに用いる袋中身絞り出し器に関する。
【０００２】
【従来の技術】
従来、スープの素、レトルト食品、調味料、香辛料等の流動性食品は方形状、チューブ状等の袋詰めにより市販されている。又、化粧品や薬品等についても流動性のものは同様に袋詰めされ市販されている。それ故、購入者は袋を切る等して口を作り、その袋を手で適宜絞って中身を取り出している。
【０００３】
【発明が解決しようとする課題】
しかしながら、このような流動性食品等は手で絞るだけでは十分に絞り出せず、どうしても一定量が残ってしまう。すると、そのままでは残った中身を有効利用できず、中身が無駄になって非経済的である。そこで、残っている中身を取り出すため、更に袋を切って手で絞り出し、又はまな板等の上に袋を置いて箸、スプーン、皿等を用いて絞り出している。しかし、これ等の方法によっても絞り出しが不十分である。なお、袋に中身が残っているとごみの量が多くなり、悪臭が発生し易く、中身には水分を多く含むため、焼却時の負担が大きく、環境に悪影響を及ぼすことになる。
【０００４】
本発明はこのような従来の問題点に着目してなされたものであり、袋の形態に対応し易く、作業中に袋を破損せず、手を汚すことなく、中身を良く絞り出すことができ、構造が簡単で取り扱い易い袋中身絞り出し器を提供することを目的とする。
【０００５】
【課題を解決するための手段】
上記目的を達成するために、本発明による袋中身絞り出し器は細長い丸棒を本体として２本並べて備える。そして、上記両本体丸棒の相対する一端部に、その両端部を接近・離隔自在に結合する結合部材を備え、更にその両結合端部を接近状態に支持して、離隔時に接近方向に付勢力を与える弾性部材を備える。又、その両本体丸棒の各結合端部寄り中央部に袋挟持用長外管を回動自在に夫々嵌め、更にその両本体丸棒の相対する他端部を夫々自由端部にし、その各自由端部付近を夫々把持部にする。
【０００６】
又、両本体丸棒の各袋挟持用長外管嵌め箇所の少なくとも片側に隣接させて、その各袋挟持用長外管を回動し易くする遊び用短外管を回動自在に夫々嵌めると好ましくなる。
【０００７】
又、両本体丸棒の各結合端部に挿通用の穴を夫々設け、圧縮コイルばねを一端部付近に巻き付けたピンを用い、その両結合端部の挿通穴にピンの他端側部を遊嵌して結合するとよい。
【０００８】
【発明の実施の形態】
以下、添付の図１、２を参照して、本発明の実施の形態を説明する。
図１は本発明を適用した袋中身絞り出し器の正面図である。この袋中身絞り出し器１は本体として、細長い丸棒例えば外径が６ｍｍで、長さが３０ｃｍのステンレス、メッキ処理した真鍮等からなる金属製丸管２（２ａ、２ｂ）を２本並べて用いる。そして、両本体丸管２にはその相対する一端部３（３ａ、３ｂ）の例えば端から１ｃｍの位置に、挿通用の穴４（４ａ、４ｂ）を夫々設けておく。又、その両端部３を結合するための結合部材として、例えば一端部に頭５を設け、先端部に止め穴を設けたピン６を用いる。なお、このピン６はその外径を挿通穴４の内径より僅かに小さくする。
【０００９】
又、弾性部材として例えば圧縮コイルばね７を用いる。そして、この圧縮コイルばね７をピン６の頭側端部付近に巻き付けて組み付けておく。すると、圧縮コイルばね７付きピン６の先端側部を両本体丸管２の挿通穴４に差し通し、その止め穴に割りピン８を嵌めることにより、両本体丸管２の両端部３を結合することができる。
【００１０】
しかも、ピン６の外径が挿通穴４の内径より僅かに小さくなっているため、ピン６は挿通穴４に遊びのある状態で嵌まる。それ故、両本体丸管２の結合端部３はピン６により接近・離隔自在の結合状態になっている。又、その両結合端部３は圧縮コイルばね７により例えば０．５ｍｍ程の接近状態に支持され、それより離隔する時に接近方向に付勢力が作用する。なお、両本体丸管２の相対する他端部は夫々自由端部にする。
【００１１】
このように組み立てた両本体丸管２の各結合端部３に挿通したピン６の位置より内側に、例えば外径が７ｍｍ、内径が６ｍｍ強、長さが１ｃｍの短い外管９（９ａ、９ｂ）を夫々嵌める。そして、両本体丸管２の各結合端部寄り中央部に、その短外管９と隣接させて、例えば外径が７ｍｍ、内径が６ｍｍ強、長さが１６ｃｍの長い外管１０（１０ａ、１０ｂ）を夫々嵌める。又、両本体丸管２の各自由端部寄り中央部にその長外管１０と隣接させて、例えば結合端部３に嵌めた短外管９と同一の短外管１１（１１ａ、１１ｂ）を夫々嵌める。なお、各短外管９、１１にもステンレス、メッキ処理した真鍮等の金属製丸管を用いる。
【００１２】
更に、両本体丸管２の各自由端部寄り中央部にその短外管１１と隣接させて、外管位置決め突起１２（１２ａ、１２ｂ）を例えばリベット止めによって夫々設ける。その際、両本体丸管２の各結合端部側の端から外管位置決め突起１２までの距離を例えば１９．２ｃｍにする。すると、両本体丸管２に嵌めた各長外管１０と隣接する両短外管９、１１との間隔を等しくし、最大１ｍｍにすることができる。その際、各短外管９、１１はいずれも端がピン６や圧縮コイルばね７、或いは外管位置決め突起１２に接触する。
【００１３】
それ故、両本体丸管２に嵌まる各長外管１０は回動自在の状態を保てるが、各短外管９、１１は端がピン６や圧縮コイルばね７、或いは外管位置決め突起１２に接触した時に一瞬回動し難くなる。そして、このような両本体丸管２の外管位置決め突起１２より自由端部１３（１３ａ、１３ｂ）の側を夫々把持部１４（１４ａ、１４ｂ）にする。
【００１４】
このようにして完成した袋中身絞り出し器１は２本の丸棒を並べて本体とするため構造が簡単であり、取り扱い易い。そして、使用時には先ず袋の大、小、厚み、形状等の形態に応じて両長外管１０の間隔を適宜開ける。その際、両本体丸管２は相対する一端部３が圧縮コイルばね７付きピン６により結合されているため、その両結合端部３の側より両自由端部１３の側を大きく開けることができる。次に、図２に示すように絞り出しの対象となる袋１５を両長外管１０の間に締まり方が均等となるような位置を選んで挟む。すると、一方の手で両把持部１４を握ることにより、両長外管１０の間隔を袋１５の形態に応じて適切に調節し、接近方向に付勢力を与えて、その袋１５を良好に挟持できる。
【００１５】
そこで、袋１５を他方の手で持ち、絞り出し器１を袋１５の切断等して形成した口のほうに順次移動する。その際、両方の袋挟持用長外管１０が両本体丸管２を夫々軸にして反対方向に回転し、その各長外管１０の両側にある遊び用短外管９、１１も本体丸管２を夫々軸にして回動可能になっているため、隣接する遊び用短外管９、１１が各長外管１０を回動し易くする。このため、各袋挟持用長外管１０の両側に直接ピン６等を備え、外管位置決め突起１２を設ける場合と比べ、各長外管１０が円滑に夫々回転できる。そして、両袋挟持用両長外管１０が回転しながら、袋１５の両側から圧力を均等に加えて中身を押し、袋１５の口の方に順次移動して行く。それ故、作業中に袋１５を破損することなく、手を汚すことなく、袋１５から残っている中身を良好に絞り出すことができる。なお、袋挟持用長外管１０、遊び用短管９、１１等を備えずに、２本の本体丸管２で袋１５を直接挟持して、中身の絞り出しを行うと、袋１５に無理な力が作用して袋１５が破れ易くなる。
【００１６】
【発明の効果】
以上説明した本発明によれば、請求項１記載の発明では２本の丸棒を並べて本体とするため、構造が簡単となり、取り扱い易くなる。使用時に両把持部を一方の手で握ると、両袋挟持用長外管の間隔を袋の形態に応じて適切に調節でき、接近方向に付勢力を与えて、その袋を良好に挟持できる。そして、袋を他方の手で持ち、絞り出し器を口の方に順次移動して行くと、その両袋挟持用長外管が回転して袋の両側から圧力を均等に加え、中身を押して袋の口の方へ移動させることができる。それ故、袋の形態に対応でき、作業中に袋を破損せず、手を汚すことなく、袋から中身を良好に絞り出すことができる。
【００１７】
又、請求項２記載の発明では各袋挟持用長外管と夫々隣接させて備えた遊び用短外管がその各長外管を回動し易くする。それ故、各袋挟持用長外管が円滑に回転でき、一層優れた効果を発揮できる。
【００１８】
又、請求項３記載の発明では両本体丸棒の各結合端部に挿通用の穴を夫々設け、圧縮コイルばねを一端部付近に巻き付けたピンを用い、その両結合端部の挿通穴にピンの他端側部を遊嵌して結合することにより、簡単にその両結合端部を接近・離隔自在に結合し、更に接近状態に支持して、離隔時に接近方向に付勢力を与えることができる。
【図面の簡単な説明】
【図１】本発明を適用した袋中身絞り出し器の正面図である。
【図２】同袋中身絞り出し器の使用状態を示す斜視図である。
【符号の説明】
１…袋中身絞り出し器  ２…本体丸棒（丸管）  ３…結合端部  ４…挿通穴  ６…ピン  ７…圧縮コイルばね  ９、１１…遊び用短外管  １０…袋挟持用長外管  １２…外管位置決め突起  １３…自由端部  １４…把持部  １５…袋
【図１】
2004168326.tif 000003
【図２】
2004168326.tif 000004